(57)【要約】【課題】端子ねじを仮止めできるとともに、端子ねじの螺合を解除するとトップ位置に復帰できる端子装置を提供する。【解決手段】端子台１は、端子ねじ１１を保持する保持金具１３を備えており、コイルバネ１４によって上方向に付勢された保持金具１３の突起１３ｐが係止凸部ＰＶと係合することで、端子ねじ１１の仮止めが可能である。一方、端子ねじ１１を接続導体１２のねじ孔１２ｈと螺合させるために仮止め位置Ｂｋからねじ孔１２ｈ上に移動させる際には、上下方向(Ｙ軸方向)に沿って形成された案内溝ＧＶに保持金具１３の突起１３ｐが嵌ることとなる。これにより、ねじ孔１２ｈに対する端子ねじ１１の螺合を解除して取り外す場合には、コイルバネ１４の付勢力によりＹ軸方向に沿って端子ねじ１１がトップ位置に復帰できる。【選択図】図８
2008103230.tif 000002
【特許請求の範囲】
【請求項１】
端子装置であって、
(a)端子ねじと、
(b)導電性を有し、前記端子ねじと螺合可能なねじ孔が形成された導体部と、
(c)所定の突起を有し、前記端子ねじを回転自在に保持する保持部材と、
(d)前記所定の突起をガイドする案内溝が所定方向に沿って形成された壁面を有する壁部と、
(e)前記所定方向に沿って前記端子ねじをトップ位置に向かわせるための付勢力を前記保持部材に与える付勢手段と、
を備え、
前記トップ位置から前記付勢力に抗して前記端子ねじを押し下げる押下動作に伴って前記保持部材が正立姿勢から傾斜姿勢に移行することにより、前記所定の突起は、前記案内溝から出て、所定の係止部に係止される係止位置に移動することが可能であり、
前記係止位置に対応する前記端子ねじの仮止め位置から前記端子ねじの先端を前記ねじ孔の入口に移動させる動作に伴って前記保持部材が前記傾斜姿勢から前記正立姿勢に復帰することにより、前記所定の突起は、前記係止位置から前記案内溝に戻ることを特徴とする端子装置。
【請求項２】
請求項１に記載の端子装置において、
前記所定の突起と係合する係止凸部が、前記所定の係止部として前記壁面上に設けられており、
前記押下動作により、前記所定の突起は前記案内溝から所定のスロープを上って前記係止凸部に到達することを特徴とする端子装置。
【請求項３】
請求項１または請求項２に記載の端子装置において、
前記ねじ孔の入口には、所定の面取りが施されていることを特徴とする端子装置。
【請求項４】
請求項１ないし請求項３のいずれかに記載の端子装置において、
前記ねじ孔では、前記所定方向に沿って、ねじが切られていることを特徴とする端子装置。
【請求項５】
請求項１ないし請求項４のいずれかに記載の端子装置において、
前記保持部材は、前記壁面と平行な断面についてＬ字状の形状を持つ断面を有していることを特徴とする端子装置。
【請求項６】
請求項１ないし請求項５のいずれかに記載の端子装置において、
前記トップ位置からは、前記端子ねじを前記仮止め位置に移動させる第１の動作と、前記所定方向に沿って前記端子ねじを前記ねじ孔の入口まで直線的に移動させる第２の動作との選択が可能であることを特徴とする端子装置。
【発明の詳細な説明】
【技術分野】
【０００１】
本発明は、端子ねじを有する端子装置に関する。
【背景技術】
【０００２】
端子台においては、接続導体のねじ孔に端子ねじを螺合させて締付ける前に端子ねじの仮止めを行えるものがある。例えば特許文献１の第３図に開示される端子台では、端子ねじを保持する保持部材の脚部に対して横方向からバネ作用を与えることにより、端子ねじの仮止めが可能となっている。
【０００３】
【特許文献１】実開昭６０−９２４７２号公報
【発明の開示】
【発明が解決しようとする課題】
【０００４】
しかしながら、上記特許文献１の端子台においては、端子ねじの仮止め位置において上記のバネ作用が必ず働くため、ねじ孔に取付けた端子ねじの螺合を解除してトップ位置に復帰させようとしても、端子ねじは仮止め位置に止まってしまいトップ位置まで戻らない問題がある。
【０００５】
一方、端子ねじの螺合を解除するとコイルバネの付勢力によってトップ位置に復帰できる端子台が、例えば特許文献１の第１図に開示されている。しかし、この端子台では、上述した端子ねじの仮止めが不可能である。
【０００６】
本発明は、上記課題に鑑みてなされたものであり、端子ねじを仮止めできるとともに、端子ねじの螺合を解除するとトップ位置に復帰できる端子装置を提供することを目的とする。
【課題を解決するための手段】
【０００７】
上記の課題を解決するため、請求項１の発明は、端子装置であって、(a)端子ねじと、(b)導電性を有し、前記端子ねじと螺合可能なねじ孔が形成された導体部と、(c)所定の突起を有し、前記端子ねじを回転自在に保持する保持部材と、(d)前記所定の突起をガイドする案内溝が所定方向に沿って形成された壁面を有する壁部と、(e)前記所定方向に沿って前記端子ねじをトップ位置に向かわせるための付勢力を前記保持部材に与える付勢手段とを備え、前記トップ位置から前記付勢力に抗して前記端子ねじを押し下げる押下動作に伴って前記保持部材が正立姿勢から傾斜姿勢に移行することにより、前記所定の突起は、前記案内溝から出て、所定の係止部に係止される係止位置に移動することが可能であり、前記係止位置に対応する前記端子ねじの仮止め位置から前記端子ねじの先端を前記ねじ孔の入口に移動させる動作に伴って前記保持部材が前記傾斜姿勢から前記正立姿勢に復帰することにより、前記所定の突起は、前記係止位置から前記案内溝に戻る。
【０００８】
また、請求項２の発明は、請求項１の発明に係る端子装置において、前記所定の突起と係合する係止凸部が、前記所定の係止部として前記壁面上に設けられており、前記押下動作により、前記所定の突起は前記案内溝から所定のスロープを上って前記係止凸部に到達する。
【０００９】
また、請求項３の発明は、請求項１または請求項２の発明に係る端子装置において、前記ねじ孔の入口には、所定の面取りが施されている。
【００１０】
また、請求項４の発明は、請求項１ないし請求項３のいずれかの発明に係る端子装置において、前記ねじ孔では、前記所定方向に沿って、ねじが切られている。
【００１１】
また、請求項５の発明は、請求項１ないし請求項４のいずれかの発明に係る端子装置において、前記保持部材は、前記壁面と平行な断面についてＬ字状の形状を持つ断面を有している。
【００１２】
また、請求項６の発明は、請求項１ないし請求項５のいずれかの発明に係る端子装置において、前記トップ位置からは、前記端子ねじを前記仮止め位置に移動させる第１の動作と、前記所定方向に沿って前記端子ねじを前記ねじ孔の入口まで直線的に移動させる第２の動作との選択が可能である。
【発明の効果】
【００１３】
請求項１から請求項６の発明によれば、トップ位置から付勢手段の付勢力に抗して端子ねじを押し下げる押下動作に伴って端子ねじの保持部材が正立姿勢から傾斜姿勢に移行することにより、保持部材の所定の突起は、所定方向に沿って形成された案内溝から出て、所定の係止部に係止される係止位置に移動することが可能であるとともに、この係止位置に対応する端子ねじの仮止め位置から端子ねじの先端を導体部のねじ孔の入口に移動させる動作に伴って保持部材が傾斜姿勢から正立姿勢に復帰することにより、所定の突起は、係止位置から案内溝に戻る。その結果、端子ねじを仮止めできるとともに、導体部のねじ孔に対する端子ねじの螺合を解除するとトップ位置に復帰できる。
【００１４】
特に、請求項２の発明においては、押下動作により、所定の突起は案内溝から所定のスロープを上って、壁面上に設けられた係止凸部に到達するため、端子ねじをトップ位置から仮止め位置にスムーズに移動できる。
【００１５】
また、請求項３の発明においては、ねじ孔の入口には、所定の面取りが施されているため、端子ねじを仮止め位置からねじ孔の入口に容易に導くことができる。
【００１６】
また、請求項４の発明においては、ねじ孔では、所定方向に沿ってねじが切られているため、端子ねじの螺合を解除した際に、トップ位置に復帰し易くなる。
【００１７】
また、請求項５の発明においては、保持部材が壁面と平行な断面についてＬ字状の形状を持つ断面を有しているため、端子ねじの押下動作によって保持部材が傾斜姿勢に移行し易くなる。
【００１８】
また、請求項６の発明においては、トップ位置からは、端子ねじを仮止め位置に移動させる第１の動作と、所定方向に沿って端子ねじをねじ孔まで直線的に移動させる第２の動作との選択が可能であるため、利便性が向上する。
【発明を実施するための最良の形態】
【００１９】
＜端子台の構成について＞
図１は、本発明の実施形態に係る端子台１の要部構成を示す斜視図である。また、図２は、端子台１の要部構成を示す正面図である。
【００２０】
端子台(端子装置)１は、例えばプラスチックで成形された本体部１０と、２つの端子ねじ１１と、導電性を有する金属製の接続導体１２と、各端子ねじ１１を回転自在に保持する保持金具１３(１３Ｒ、１３Ｌ)と、保持金具１３の下端部に接続して保持金具１３を上方向(＋Ｙ方向)に付勢するコイルバネ１４とを備えている。このような構成の端子台１が多数が整列することによって図３に示すような中継端子台１００が構成されることとなる。
【００２１】
接続導体(導体部)１２には、Ｙ軸方向に沿ってねじが切られ各端子ねじ１１と螺合可能な２つのねじ孔１２ｈが形成されており、ねじ孔１２ｈの入口ＩＮには面取りが施されている。この接続導体１２の各ねじ孔１２ｈにおいて丸形圧着端子等を端子ねじ１１で締付けるようにすれば、圧着端子(に接続するケーブル)間の電気的な接続がなされることとなる。
【００２２】
２つの保持金具１３(１３Ｌ、１３Ｒ)は、金属からなっており、後述する背壁１０ａの壁面(基準面Ｆｒ)と平行な断面についてＬ字状の形状を持つ断面を有している(図２参照)。具体的には、保持金具１３は、端子ねじ１１を保持する孔が設けられた上板部１３ａと、上板部１３の端部から垂直下方(−Ｙ方向)に伸びる脚部１３ｂとを有している。
【００２３】
図４は、保持金具１３Ｒを(−Ｘ)方向に見た側面を示す図である。
【００２４】
保持金具１３Ｒでは、脚部１３ｂにおいて台形状の突起１３ｐが形成されている。また、保持金具１３Ｒの脚部１３ｂの下端部には、コイルバネ１４の上端を保持するための凹部Ｑａ、Ｑｂが形成されている。なお、保持金具１３Ｌでも、図４に示す保持金具１３Ｒと同様の構成(ただし中心軸ＡＸで鏡面対称となる形状)を有している。
【００２５】
図１〜２に戻って説明を続ける。
【００２６】
本体部１０は、図３のように端子台１を多数並設する際に隣接する端子台１同士の境界として働く背壁１０ａと、背壁１０ａの中央上部において突設される中央突出部１０ｂと、接続導体１２の両端を支持するために背壁１０ａ上に突設される２つの導体支持部１０ｃとを有している。この導体支持部１０ｃと中央突出部１０ｂとの間に接続導体１２が挟み込まれることにより接続導体１２が本体部１０に固定される。
【００２７】
図５は、本体部１０の構成を説明するための図である。なお、図５では、図２に示す本体部１０において中心軸ＡＸから紙面に向かって左半分の本体部１０を表している。
【００２８】
背壁１０ａは、保持金具１３の突起１３ｐをガイドする案内溝ＧＶ(網掛け部)が上下方向(Ｙ軸方向)に沿って形成された内壁面を有している。すなわち、背壁１０ａには、図４に示すように内壁面の基準面Ｆｒから一定の深さを有する案内溝ＧＶが凹設されている。
【００２９】
また、背壁１０ａには、保持金具１３の突起１３ｐと係合する係止凸部ＰＶが係止部として内壁面の基準面Ｆｒ上に設けられている。この係止凸部ＰＶに対して、コイルバネ１４により上方向(＋Ｙ方向)に付勢された保持金具１３の突起１３ｐが位置(係止位置)Ｑにおいて引っ掛けられることにより、突起１３ｐは半固定される。なお、保持金具１３の突起１３ｐが係止凸部ＰＶと係合する際には後述のように保持金具１３が傾斜姿勢Ｗｔ(図８)となるが、保持金具１３が傾き過ぎるのを防止するストッパとしての突出部ＰＳが背壁１０ａに設けられている。
【００３０】
また、背壁１０ａには、図４に示すように案内溝ＧＶの底面(下段)と係止凸部ＰＶの基準面(上段)Ｆｒとを連絡するためのスロープＳＬ(図５の斜線部)が設けられている。
【００３１】
以上のような構成を有する端子台１の動作について説明する。
【００３２】
＜端子台１の動作について＞
図６〜図１１は、端子台１の動作を説明するための図である。ここで、図６(ａ)〜図１１(ａ)は、図２に示す端子台１において中心軸ＡＸから紙面に向かって左半分の端子台１を表しており、図６(ｂ)〜図１１(ｂ)は、図６(ａ)〜図１１(ａ)においてVI−VI位置〜XI−XI位置から見た各断面を示している。なお、図６〜図１１においては、端子ねじ１１を用いて圧着端子等を接続導体１２上に締め付けた後に端子ねじ１１を取り外す作業者の動作に付随した端子台１の各状態を示している。以下では、この端子台１の各状態を詳しく説明する。
【００３３】
(１)端子ねじ１１の初期状態
端子ねじ１１の初期状態は、図６に示すように端子ねじ１１がトップ位置Ｂｔにあって脚部１３ｂがＹ軸と平行な保持金具１３の正立姿勢Ｗｒとなっている状態である。この端子ねじ１１のトップ位置Ｂｔにおいては、図４に示すように保持金具１３の突起１３ｐがコイルバネ１４からの付勢力によって案内溝ＧＶの上端ＧＶｔ(図４)と係合している。
【００３４】
(２)端子ねじ１１の前倒れ状態
端子ねじ１１の前倒れ状態は、図７に示すように保持金具１３の凹部Ｑａ、Ｑｂ(図４参照)付近を支点として保持金具１３の脚部１３ｂがＹ軸に対して傾くことで、端子ねじ１１が(−Ｘ)方向に倒れ込んでいる状態である。すなわち、端子ねじ１１のトップ位置Ｂｔ(図６)からコイルバネ１４の付勢力に抗して端子ねじ１１を下方ＤＮに押し下げる作業者の押下動作に伴って保持金具１３の突起１３ｐが案内溝ＧＶからスロープＳＬ(図４〜５参照)を上っていくことにより、徐々に保持金具１３が(−Ｘ)方向に傾斜していく段階である。ここでは、保持金具１３が正面から見てＬ字状の形状を有しているため、作業者の押下動作によって保持金具１３が自然と傾いていくこととなる。
【００３５】
(３)端子ねじ１１の仮止め状態
端子ねじ１１の仮止め状態は、図８に示すように端子ねじ１１の先端が接続導体１２の上面付近にセットされる仮止め位置Ｂｋにある状態である。この端子ねじ１１の仮止め位置Ｂｋにおいては、コイルバネ１４によって上方向に付勢された保持金具１３の突起１３ｐが係止位置Ｑ(図５)で係止凸部ＰＶと係合している。すなわち、端子ねじ１１に対する作業者の押下動作に伴って保持金具１３が正立姿勢Ｗｒ(図６)から傾斜姿勢Ｂｋに移行することにより、保持金具１３の突起１３ｐは、案内溝ＧＶから出て係止凸部ＰＶに到達し、係止位置Ｑ(図５)で止まることとなる。
【００３６】
(４)端子ねじ１１の螺合開始前状態
端子ねじ１１の螺合開始前状態は、図９に示すように端子ねじ１１の先端が接続導体１２のねじ孔１２ｈの入口ＩＮ直上にある螺合準備位置Ｂｐにあって、作業者による端子ねじ１１の螺合開始直前の状態である。この螺合準備位置Ｂｐに仮止め位置Ｂｋ(図８)から端子ねじ１１を移動させる作業者の移送動作に伴って、保持金具１３が仮止め位置Ｂｋの傾斜姿勢Ｗｔ(図８)から正立姿勢Ｗｒに復帰することにより、保持金具１３の突起１３ｐは係止位置Ｑ(図５)から案内溝ＧＶに戻ることになる。ここでは、接続金具１３のねじ孔１３ｈの入口ＩＮに面取りが施されているため、端子ねじ１１の先端をねじ孔１３ｈの入口に容易に導くことができる。
【００３７】
(５)端子ねじ１１の螺合状態
端子ねじ１１の螺合状態は、図１０に示すように端子ねじ１１が接続導体１２のねじ孔１２ｈと螺合している状態である。すなわち、図９に示す螺合準備位置Ｂｐの端子ねじ１１に対して作業者がドライバーを用いて回転を加えつつ押し下げることにより、端子ねじ１１が接続導体１２のねじ孔１２ｈにねじ込まれている。なお、図１０では図示していないが、この端子ねじ１１の螺合状態において圧着端子等が固定される。
【００３８】
(６)端子ねじ１１の螺合解除状態
端子ねじ１１の螺合解除状態は、図１１に示すように接続導体１２のねじ孔１２ｈに対する端子ねじ１１の螺合が解除された状態である。すなわち、図１０に示す螺合状態の端子ねじ１１に対して作業者がドライバーを用いて回転を加えることにより、端子ねじ１１が接続導体１２のねじ孔１２ｈから外れた状態である。この端子ねじ１１の螺合解除状態では保持金具１３の突起１３ｐが案内溝ＧＶに嵌っているため、Ｙ軸方向に沿って端子ねじ１１をトップ位置Ｂｔに向かわせるための付勢力を保持金具１３に与えるコイルバネ１４によって、案内溝ＧＶに沿って保持金具１３が上方向に移動し端子ねじ１１がトップ位置Ｂｔ(図６)に自動的に復帰することとなる。この場合、端子ねじ１１を緩めた際には、保持金具１３のＬ字形状の作用とコイルバネ１４の付勢力とにより端子ねじ１１は仮止め位置Ｂｋ(図８)に戻ろうとするが、案内溝ＧＶの側壁に保持金具１３の突起１３ｐが当たることで、端子ねじ１１は仮止め位置Ｂｋには戻らずトップ位置Ｂｔに復帰するようになる。また、ねじ孔１２ｈにおいては、Ｙ軸方向に沿ってねじが切られているため、螺合を解除した際に端子ねじ１１はＹ軸方向に沿ってトップ位置Ｂｔに復帰し易くなっている。
【００３９】
以上で説明した端子台１においては、コイルバネ１４によって上方向に付勢された保持金具１３の突起１３ｐが係止凸部ＰＶと係合することで端子ねじ１１の仮止めが可能である。そして、端子ねじ１１を仮止め位置Ｂｋ(図８)からねじ孔１２ｈ上の螺合準備位置Ｂｐ(図９)に移動させる際には、保持金具１３の突起１３ｐが上下方向に延びる案内溝ＧＶに入るため、ねじ孔１２ｈに対する端子ねじ１１の螺合を解除して取り外す場合、端子ねじ１１は仮止め位置Ｂｋに移動せずにコイルバネ１４の付勢力によってトップ位置Ｂｔ(図６)に復帰できる。
【００４０】
また、従来の端子台(例えば上記の特許文献１の第３図)においては、輸送時の振動等によって端子ねじがトップ位置から仮止め位置に下がってしまうという問題があったが、本実施形態の端子台１では、このような問題も生じなくなる。
【００４１】
また、本実施形態の端子ねじ１１では、トップ位置Ｂｔの端子ねじ１１を、仮止めせずに直接ねじ孔１２ｈに移動させて締め付けることも可能である。すなわち、トップ位置Ｂｔ(図６)からは、端子ねじ１１を仮止め位置Ｂｋ(図８)に移動させる仮止め動作(第１の動作)と、Ｙ軸方向に沿って端子ねじ１１をねじ孔１２ｈの入口ＩＮまで直線的に移動させる移送動作(第２の動作)との選択が可能である。これにより、従来の端子台と比べて利便性が向上することとなる。
【００４２】
なお、上述した端子台１の構成については、以下で説明するスイッチに適用するようにしても良い。
【００４３】
図１２は、端子台１の構成を適用したスイッチ２の要部構成を示す斜視図である。また、図１３は、スイッチ２の内部構造を説明するための縦断面図である。
【００４４】
スイッチ２は、スイッチ本体２０と、端子装置として機能する端子部３とを備えている。
【００４５】
端子部３は、上述した端子台１の端子ねじ１１、保持金具１３およびコイルバネ１４と同様の構成を有する端子ねじ３１、保持金具３３およびコイルバネ３４を備えている。そして、端子部３の壁部３０には、上述した端子台１の案内溝ＧＶ(図４)に対応する案内溝(図示省略)が形成されているとともに、端子台１の係止凸部ＰＶに対応する係止凸部ＰＷが設けられている。
【００４６】
また、端子部３は、上述した端子台１の接続導体１２を中央で分割したような２つの導体３２(３２ａ、３２ｂ)を備えている。そして、各導体３２ａ、３２ｂには、上述した端子台１のねじ孔１２ｈに対応するねじ孔３２ｈが形成されているとともに、接点Ｃａが設けられている。
【００４７】
スイッチ本体２０は、押ボタンスイッチとして構成されており、スイッチの押下動作に伴って押下方向Ｄｐに移動する導体２１を備えている。そして、導体２１には、端子部３の各導体３２の接点Ｃａに対応する接点Ｃｂが２つ設けられている。よって、スイッチ本体２０でスイッチの押下動作を行うと、導体２１の接点Ｃｂが導体３２の接点Ｃａと接触するため、導体３２ａと導体３２ｂとの電気的な接続が行える。
【００４８】
以上で説明したスイッチ２の端子部３においては、上述した端子台１に対応した構成を有しているため、端子ねじ３１の仮止めを行えるとともに、端子ねじ３１の螺合を解除するとトップ位置に復帰できることとなる。
【図面の簡単な説明】
【００４９】
【図１】本発明の実施形態に係る端子台１の要部構成を示す斜視図である。
【図２】端子台１の要部構成を示す正面図である。
【図３】端子台１が多数整列した中継端子台１００の構成を示す斜視図である。
【図４】保持金具１３Ｒの構成を説明するための図である。
【図５】本体部１０の構成を説明するための図である。
【図６】端子台１の動作を説明するための図である。
【図７】端子台１の動作を説明するための図である。
【図８】端子台１の動作を説明するための図である。
【図９】端子台１の動作を説明するための図である。
【図１０】端子台１の動作を説明するための図である。
【図１１】端子台１の動作を説明するための図である。
【図１２】端子台１の構成を適用したスイッチ２の要部構成を示す斜視図である。
【図１３】スイッチ２の縦断面図である。
【符号の説明】
【００５０】
１  端子台
２  スイッチ
３  端子部
１０  本体部
１１、３１  端子ねじ
１２  接続導体
１２ｈ、３２ｈ  ねじ孔
１３、３３  保持金具
１４、３４  コイルバネ
３２  導体
Ｂｋ  仮止め位置
Ｂｐ  螺合準備位置
Ｂｔ  トップ位置
ＧＶ  案内溝
ＰＶ、ＰＷ  係止凸部
Ｑ  係止位置
ＳＬ  スロープ
Ｗｒ  正立姿勢
Ｗｔ  傾斜姿勢
【図１】
2008103230.tif 000003
【図２】
2008103230.tif 000004
【図３】
2008103230.tif 000005
【図４】
2008103230.tif 000006
【図５】
2008103230.tif 000007
【図６】
2008103230.tif 000008
【図７】
2008103230.tif 000009
【図８】
2008103230.tif 000010
【図９】
2008103230.tif 000011
【図１０】
2008103230.tif 000012
【図１１】
2008103230.tif 000013
【図１２】
2008103230.tif 000014
【図１３】
2008103230.tif 000015